(57)【特許請求の範囲】
【請求項１】
時計カレンダー機構（１１０）の日付モバイル（３）を駆動するための装置（１００）であって、
第１爪（２０ａ）及び第２爪（２０ｂ）を含む、駆動モバイル（２）と、
第１歯群（１０ａ）、第２歯群（１０ｂ）、及び第３歯群（１０ｃ）を含む、プログラミングモバイル（１）と、
第４歯群（３０ａ）及び第５歯群（３０ｂ）を含む、日付モバイル（３）と、
を含み、
前記第１爪は前記第１歯群と協働し、前記第２爪は前記第２歯群と協働し、前記第１歯群は前記第４歯群と協働し、前記第３歯群は前記第５歯群と協働し、
前記プログラミングモバイルは、第１車（１ａ）及び第２車（１ｂ）を含み、前記第１歯群は前記第１車に配置され、前記第２及び第３歯群は前記第２車に配置され、
前記第１車及び前記第２車は互いに変位可能である、装置。
【請求項２】
前記プログラミングモバイルは、前記第１車と前記第２車の間の相対的な静止位置から相対的な変位が発生した場合に戻りトルクを発生させる戻り要素（１ｃ）を含む、
請求項１に記載の装置。
【請求項３】
前記プログラミングモバイル（１）は、第１当接部（１ｄ）を含み、及び第２当接部（１ｅ）を含み、前記第１及び第２当接部は前記第１及び第２車上にそれぞれ配置される、または第２及び第１車上にそれぞれ配置される、
請求項１または２に記載の装置。
【請求項４】
前記プログラミングモバイル（１）は、第３当接部（１ｇ）を含み、及び第４当接部（１ｈ）を含み、前記第３及び第４当接部は前記第１及び第２車にそれぞれ配置される、または第２及び第１車上にそれぞれ配置される、
請求項１から３のいずれか一項に記載の装置。
【請求項５】
前記第１及び第２車は、前記第１及び第２車の角ピッチの値で互いに対して変位可能に配置される、
請求項１から４のいずれか一項に記載の装置。
【請求項６】
前記装置は、前記第４歯群（３０ａ）または前記第１歯群（１０ａ）と協働するジャンパ（９）を含む、
請求項１から５のいずれか一項に記載の装置。
【請求項７】
前記ジャンパ及び前記戻り要素は、前記第１車の回転に対抗し前記ジャンパにより発揮される前記抵抗トルクが、前記第２車の回転に対抗し前記戻り要素により発揮される前記抵抗トルクよりも大きいように配置される、
請求項２を引用する請求項６に記載の装置。
【請求項８】
前記第１歯群は１２の倍数の本数の歯を有し、及びまたは前記第２歯群は１２の倍数の本数の歯を有し、及びまたは前記第３歯群は４の倍数の本数の歯を有し、及びまたは前記第４歯群は３１本の歯を有し、及びまたは前記第５歯群は１本の歯を有する、
請求項１から７のいずれか一項に記載の装置。
【請求項９】
前記第１歯群は１２本の歯を有し、及びまたは前記第２歯群は１２本の歯を有し、及びまたは前記第３歯群は４本（１０２ｃ、１０３ｃ、１０４ｃ、１０５ｃ）の歯を有し、前記第３歯群の歯は３０°の角ピッチを有し４つの連続する３０°の角度区分の高さで並列され、及びまたは前記第４歯群は３１本の歯を有し、及びまたは前記第５歯群は１本の歯を有する、
請求項１から７のいずれか一項に記載の装置。
【請求項１０】
前記第１爪（２０ａ）、前記第１歯群（１０ａ）及び前記第４歯群（３０ａ）は第１高さに配置され、及びまたは前記第２爪（２０ｂ）及び前記第２歯群（１０ｂ）は第２高さに配置され、及びまたは前記第３歯群（１０ｃ）及び前記第５歯群（３０ｂ）は第３高さに配置される、
請求項１から９のいずれか一項に記載の装置。
【請求項１１】
前記第２歯群（１０ｂ）の歯及び前記第３歯群（１０ｃ）の歯は、前記第２車（１ｂ）の共通表面で形成される、
請求項１から１０のいずれか一項に記載の装置。
【請求項１２】
請求項１から１１のいずれか一項に記載の装置を含む、カレンダー機構（１１０）。
【請求項１３】
瞬時ジャンプ型である、請求項１２に記載の機構。
【請求項１４】
請求項１から１１のいずれか一項に記載の装置（１００）または請求項１２または１３に記載の機構を含む、時計ムーブメント（１２０）。
【請求項１５】
請求項１から１１のいずれか一項に記載の装置（１００）または請求項１２または１３に記載の機構及びまたは請求項１４に記載のムーブメントを含む、時計（１３０）。
【発明の詳細な説明】
【技術分野】
【０００１】
本発明は、カレンダー機構のモバイルを駆動する装置に関連する。本発明はまた、当該装置を含む機構に関する。本発明はまた、当該装置または当該機構を含む時計ムーブメントに関する。本発明は最後に、当該装置、当該機構、または当該ムーブメントを含む、時計、特に腕時計に関する。
【０００２】
従来から周知の年間カレンダーは、伝統的には、カムまたは補助月車と協働するよう設けられる、１つまたは２つのカレンダー駆動モバイルを有する。当該要素は、月の表示を行い、追加ばねやレバー等を経由して各小の月の月末において二重日付ジャンプ機構を駆動する。このような構造は、動作の順序制御を複雑にする結果をもたらしかねない。エネルギー蓄積器を伴うカレンダー駆動モバイルを採用することにより、３１日の月から翌月への移行において瞬時ジャンプを有するカレンダーを設計することが可能となるが、３０日の月の月末の二重日付ジャンプは、一方では日車を駆動する２つの別個の連鎖する動作の順序制御のため、他方では当該ジャンプが必要とするエネルギー増加のため、問題となりかねない。
【０００３】
特許文献１は、日車を駆動する２つの連鎖が設けられる年間カレンダー機構を開示する。第１カレンダー駆動モバイルは、毎日、日車の第１ジャンプを可能とする。修正モバイルと呼ばれる第２カレンダー駆動モバイルは、３０日の月の月末に、日車の追加的なジャンプを可能とする。後者は、月カム及び戻りばねで角度位置が制御されるレバーの上で旋回される。当該構造は、特にばねやレバーといった、著しい数の部品を必要とし、大量のエネルギーを消費する。更に、当該機構の動作の順序制御のために、小の月の月末において、完全に瞬時のカレンダー日付ジャンプを得ることは非常に困難である。
【０００４】
特許文献２は、年カムもレバーも必要としない、日車を駆動するための２つの別個の連鎖を有する機構の、半摺動式日付ジャンプを有する年間カレンダーを開示する。第１の従来のカレンダー駆動モバイルは、毎日、日車の第１ジャンプを可能とする。第２モバイルは、３０日の月の月末に、日車の追加ジャンプを可能とする。当該モバイルは歯を有し、歯の数及び配置は、当該歯が小の月の月末に日車の追加の歯を作動させることを可能とするよう定義され、これにより従来のカレンダー駆動モバイルと協働して、日車の二重ジャンプを可能とする。当該機構は、カム及びレバー装置に比較して、特に特許文献１に開示の機構に比べて、単純であるという利点を有する。第２モバイルの歯の配置及び数は、他の追加装置なくして、小の月と大の月とを区別することを実際に可能とする。しかしながら、第２モバイルを駆動する連鎖は、日車の伝統的なジャンパに追加される割り出し装置を必要とし、これは第２モバイルの歯を有する星形車と協働するために設けられた追加ばねの設置に反映される。このため、当該機構を元に瞬時日付ジャンプを有する年間カレンダーを実現することは、一方では日車を駆動する２つの連鎖の同時動作のために必要な連携の点から、他方では各モバイルが専用のエネルギー蓄積器を必要とする２つの別個の駆動モバイルの瞬時駆動を許可するために必要なエネルギーの点から、非常に難しい。
【０００５】
特許文献３は、単一のカレンダー駆動モバイルが設けられた、摺動式日付ジャンプを有する年間カレンダー機構を開示する。カレンダー駆動モバイルは、２つの駆動爪を有する。第１爪は、毎日、日車の第１ジャンプを許可する。第２爪は、特にムーブメントの中央に位置する月モバイルを通じて、追加ピッチ分日車を駆動するよう設けられる。当該モバイルは、互いに固定される２つの車からなる。３１日の月の月末に、３０日から３１日へ、月モバイルは日車が有する追加歯を通じて第１角ピッチ分駆動され、日車もまたカレンダー駆動モバイルの第１爪により作動される。３１日から翌月の１日へ、月モバイルはカレンダーモバイルの第２爪により第２角ピッチ分作動され、これにより日車を、日車の追加歯を通じて追加角ピッチ分駆動する。当該順序制御は、カレンダーが純粋に摺動するという事実により可能となる。各要素、特に日車と月モバイルを同時に駆動することは、装置の不動化につながる。このため、当該機構に基づき、瞬時ジャンプを有する年間カレンダーを実現することは不可能である。
【先行技術文献】
【特許文献】
【０００６】
【特許文献１】欧州特許出願公開第０９８７６０９号公報
【特許文献２】米国特許第３８２７２３４号公報
【特許文献３】欧州特許出願公開第１６６６９９１号公報
【特許文献４】欧州特許出願公開第 ２４２８８５５号公報
【特許文献５】欧州特許出願公開第２４２８８５６号公報
【特許文献６】欧州特許出願公開第２６２４０７５号公報
【特許文献７】欧州特許出願公開第１５９６２６１号公報
【発明の概要】
【発明が解決しようとする課題】
【０００７】
本発明の目的は、上述の欠点を解消し、従来から知られている駆動装置を向上する、カレンダーモバイルまたはカレンダー機関を駆動するための装置を提供することにある。特に本発明は、単純で、小型で、信頼性があり、堅牢である、特に瞬時日付ジャンプを有する年間カレンダーを実現するための駆動装置を提供することである。
【０００８】
本発明に係る駆動装置は、請求項１により定義される。
【０００９】
駆動装置の別の実施形態は、従属請求項２から１１により定義される。
【００１０】
本発明に係る機構は、請求項１２により定義される。
【００１１】
機構の実施形態は、従属請求項１３により定義される。
【００１２】
本発明に係るムーブメントは、請求項１４により定義される。
【００１３】
本発明に係る時計は、請求項１５により定義される。
【図面の簡単な説明】
【００１４】
【図１】図１は、例として、本発明に係る時計の実施形態を示す。
【図２】図２は、例として、本発明に係る時計の実施形態を示す。
【図３】図３は、例として、本発明に係る時計の実施形態を示す。
【図４】図４は、例として、本発明に係る時計の実施形態を示す。
【図５】図５は、例として、本発明に係る時計の実施形態を示す。
【図６】図６は、例として、本発明に係る時計の実施形態を示す。
【図７】図７は、例として、本発明に係る時計の実施形態を示す。
【図８】図８は、例として、本発明に係る時計の実施形態を示す。
【図９】図９は、例として、本発明に係る時計の実施形態を示す。
【図１０】図１０は、例として、本発明に係る時計の実施形態を示す。
【図１１】図１１は、例として、本発明に係る時計の実施形態を示す。
【図１２】図１２は、例として、本発明に係る時計の実施形態を示す。
【図１３】図１３は、例として、本発明に係る時計の実施形態を示す。
【図１４】図１４は、例として、本発明に係る時計の実施形態を示す。
【図１５】図１５は、例として、本発明に係る時計の実施形態を示す。
【図１６】図１６は、例として、本発明に係る時計の実施形態を示す。
【図１７】図１７は、例として、本発明に係る時計の実施形態を示す。
【図１８】図１８は、例として、本発明に係る時計の実施形態を示す。
【図１９】図１９は、例として、本発明に係る時計の実施形態を示す。
【図２０】図２０は、例として、本発明に係る時計の実施形態を示す。
【図２１】図２１は、例として、本発明に係る時計の実施形態を示す。
【図２２】図２２は、例として、本発明に係る時計の実施形態を示す。
【図２３】図２３は、例として、本発明に係る時計の実施形態を示す。
【図２４】図２４は、例として、本発明に係る時計の実施形態を示す。
【発明を実施するための形態】
【００１５】
時計１３０の実施形態を、図１から２４を参照して以下に説明する。時計は、例えば、腕時計である。時計は、本発明に係る時計ムーブメント１２０の実施形態である、特に機械式時計ムーブメントを含む。ムーブメントは、本発明に係るカレンダー機構１１０の実施形態、特に年間カレンダー機構、とりわけ瞬時ジャンプを有するタイプのカレンダー機構を含む。「瞬時ジャンプを有するカレンダー機構」とは、通常の作動で、２つの連続する日付表示間の移行段階が、典型的には１秒の１０分の１未満持続する、カレンダー機構を意味する。カレンダー機構は、例えば１から３１の日付を示す印を有する円板３、または日付表示に一致するように動く針、または日付の１０の位を表示する印を有する第１の円板と日付の１の位を表示する印を有する第２のディスクからなる２つの円板など、例えば１つ以上の日付表示モバイルを含む。有利には、年間カレンダー機構は、更に、月表示要素を有することもできる。年間カレンダー機構は、典型的には毎年一回の修正のみ、典型的には２月末での修正を、必要とする。
【００１６】
カレンダー機構１１０は、本発明に係る駆動装置１００の実施形態を含む。
【００１７】
駆動装置１００の実施形態を、図１から９を参照して、以下に詳細に説明する。当該装置は、時計カレンダー機構１１０のモバイル３を、特に日付表示を有する円板３を、駆動することを可能にする。例えば、当該円板は、開口と協働し、当該開口に現在の日付の表示を作成するためのものである。
【００１８】
駆動装置は主として以下を含む。
−第１爪２０ａ及び第２爪２０ｂを含む、駆動モバイル２。
−第１歯群１０ａ、第２歯群１０ｂおよび第３歯群１０ｃを含む、プログラミングモバイル１またはプログラミング機構１。
−第４歯群３０ａ及び第５歯群３０ｂを含む、日付表示モバイル３。
【００１９】
第１爪は、第１歯群と協働し、第２爪は第２歯群と協働し、第１歯群は第４歯群と協働し、第３歯群は第５歯群と協働するのに適している。
【００２０】
このため、第１爪は、特に噛合により第１歯群を作動させ、第２爪は、特に噛合により第２歯群を作動させ、第１歯群は、特に噛合により第４歯群を作動させ、第３歯群は、特に噛合により第５歯群を作動させるのに適している。
【００２１】
このため、日車または日付モバイルを駆動するための、特に単純な構造の駆動装置を得ることができる。配置が単純であるため、当該装置は高い信頼性と堅牢性を有する。この信頼性と堅牢性は、瞬時ジャンプを有する種類のカレンダー機構を製造するために有効である。
【００２２】
有利には、第２と第３歯群とは異なっており、すなわち第２歯群の歯は第４歯群とも第５歯群とも協働せず、第３歯群の歯は第４歯群と協働することなく第５歯群と協働する。
【００２３】
有利には、駆動モバイル２の第１爪２０ａ及び第２爪２０ｂは、互いに変位しない。有利には、日車の第４歯群３０ａ及び第５歯群３０ｂは、互いに変位しない。
【００２４】
プログラミングモバイル１は、日車または日付板３とカレンダー駆動モバイル２との境界に配置されるという特徴を有する。プログラミングモバイルは、大の月と小の月とを認識し区別することを可能とする。
【００２５】
有利には、第１爪２０ａ、第１歯群１０ａ及び第４歯群３０ａは第１の高さ、特に図９に部分的に表示される第１平面Ｐ１の高さに配置される。これを補足するため、第２爪２０ｂ及び第２歯群１０ｂは第２の高さ、特に第２平面Ｐ２の高さに配置することができる。さらにこれを補足するため、第３歯群１０ｃ及び第５歯群３０ｂは第３の高さ、特に第３平面Ｐ３の高さに配置することができる。平面Ｐ１及びまたは平面Ｐ２及びまたは平面Ｐ３は、例えば、プログラミングモバイルと駆動モバイルの回転軸１１及び１２に対して直角である。
【００２６】
特に図２、４、６に示すように、プログラミングモバイル１は第１車１ａ及び第２車１ｂを含む。この２つの車は、例えば重なり合う。第１歯群は第１車に位置し、第２及び第３歯群は第２車に位置する。２つの車は有利には、第１及び第２車の相対的運動を可能とする、すなわち第１及び第２車を互いに変位可能に、特に互いに回転変位可能とする、リンク１ｃ、１ｄ、１ｅ、１ｆ、１ｇ、１ｈ、１ｉにより回転可能に連結される。第１及び第２車はその軸の高さにおいて、互いの上で旋回可能である。第１及び第２車は、第１及び第２車の概略角ピッチの値の分、特に３０°、互いに変位可能に配置することができる。リンクは、少なくとも装置の動作の特定の局面において、クラッチに係合可能である。
【００２７】
有利には、図５に示すように、プログラミングモバイルは、第１及び第２車を第１の所定相対位置、すなわち静止または戻り位置に戻す、ばね１ｃなどの戻り要素１ｃを含む。
【００２８】
更に、プログラミングモバイルは、特に例えば車１ａに設けられた開口１ｉの壁１ｄの一部分からなる第１当接部１ｄと、特にピン１ｅである第２当接部１ｅを含むことができる。第１及び第２当接部は、互いに接触する場合、車１ｂに対する車１ａの所定の第１位置を協働して規定する。第１及び第２当接部は、第１及び第２車１ａ、１ｂ上にそれぞれ位置してもよく、第２及び第１車１ａ、１ｂ上にそれぞれ位置してもよい。
【００２９】
ばね１ｃ及び当接部１ｄは、第１車１ａの板と一体に作成することができる。ピン１ｅは、第２車１ｂの板に打ち込むことができる。第２車１ｂは、ばね１ｃの影響により当接部１ｄに押圧されるピン１ｅにより、第１車１ａに対して角度的に割り出しされる。
【００３０】
プログラミングモバイル１は、特に開口のまたは上記開口１ｉの壁１ｇである第３当接部１ｇと、特に戻り要素１ｃの表面１ｈ、とりわけ戻り要素１ｃの端部の表面１ｈである第４当接部１ｈとを含むことができる。第３及び第４当接部は、第１及び第２車１ａ、１ｂ上にそれぞれ位置してもよく、第２及び第１車１ａ、１ｂ上にそれぞれ位置してもよい。
【００３１】
駆動モバイルの第１及び第２車１ａ、１ｂは、カレンダー駆動モバイル２により、毎日、駆動されるように提供される。このため、上述の通り、駆動モバイルは２つの駆動爪２０ａ、２０ｂを備える。この爪は有利には、重ね合されまたは駆動モバイルの回転軸１２に対して２つの高さに位置する。第１及び第２爪はそれぞれ、車１ａ、１ｂの第１及び第２歯群１０ａ、１０ｂを専属的に駆動する。このため、好ましくは、第１駆動爪２０ａは第１高さＰ１に配置することができ、第２駆動爪２０ｂは第２高さＰ２に配置することができる。駆動モバイル２はまた、２４時間で完全に１回転するカレンダー車５を含む。当該車５は、時計の基本ムーブメントの駆動列４に連結される。駆動モバイル２はまた、エネルギー蓄積器と協働するために提供されるカム６を含み、これにより駆動爪２０ａ及び２０ｂは真夜中の瞬間にプログラミングモバイル１を瞬時に駆動する。つまり第１及び第２爪がプログラミングモバイルの車の歯群との噛合を開始する位置に到達し、歯群と噛合し、これら歯群との噛合の終了の位置から離れるまでを典型的には１秒の１０分の１未満の期間で行う。
【００３２】
カム６は、第１及び第２駆動爪２０ａ、２０ｂに固定することができる。カレンダー車５及びカム６間のクラッチ（図示せず）は、例えばピンと協働するよう形成される楕円形の切り欠き、または特許文献４の、特に１６段落から２１段落に記載の戻り止め装置など、従来の手段で実施可能である。
【００３３】
エネルギー蓄積器は、ばね８によりカム６の側面に押圧されるランナ７ａを有するレバー７を含むことができる。
【００３４】
プログラミングモバイル１は、日付板３と継続的に係合する。このため、駆動モバイルの作動、特に１回転にわたる駆動モバイルの作動は、日付板３の回転、特に少なくとも１角ピッチにわたる回転を引き起こす。
【００３５】
更に詳しくは、第１車１ａの第１歯群１０ａは、日付板３の第４歯群３０ａと継続的に係合する。当該第４歯群は、図１に示すように、ジャンパ９の前端９ａにより、ムーブメントのフレームに対して角度的に割り出しされる。このため、プログラミングモバイル１もまた、ジャンパ９の前端９ａにより、非直接的に、歯群の遊び内に、角度的に位置決めされる。代替的に、ジャンパは第１車の第１歯群１ａと直接協働することができる。この場合、ジャンパにより非直接的に角度的に位置決めされるのは、円板３になる。ジャンパ９は第４歯群３０ａまたは第１歯群１０ａと協働可能である。
【００３６】
有利には、ジャンパと戻り要素は、第１車の回転に対抗しジャンパが発揮する抵抗トルクが、第２車の回転に対抗し戻り要素が発揮する抵抗トルクよりも大きいように、形成され配置される。当該トルクは、同一軸周りで、特にプログラミングモバイルの回転軸１１周りで表されるトルクである。
【００３７】
第４歯群３０ａの３１本の歯に加え、日付モバイルには、第５歯群３０ｂが設けられる。第５歯群は、特に１本の歯を含むことができる。第５歯群は、図４に示すように、第４歯群３０ａに重ね合わせることができる。第４及び第５歯群は、例えば重ね合わせられる。第４及び第５歯群は、有利には、重ね合わされ、または日付モバイルの回転軸に対して２つの高さに位置する。
【００３８】
第５歯群３０ｂの歯は、小の月（つまり３０日の月）の３０日に、第３歯群１０ｃにより作動されると見込まれる。このため、日付板３は、２角ピッチにわたり駆動可能である。
【００３９】
説明した実施形態において、第１車１ａの第１歯群１０ａは、全て同一の１２本の歯からなる。第２車１ｂの第２歯群１０ｂもまた１２本の歯からなる。第３歯群は、日付板を作動するよう配置される４本の歯からなる。当該４本の歯は、２月を除く、一年に４回の小の月に対応する。４本の歯は第２歯群１０ｂ内で、歯のうちの１または他方が小の月の３０日に、歯３０ｂに対面すると見込まれるように、分布される。歯の分布は、後述する。
【００４０】
上述の実施形態において、第２歯群１０ｂの歯と第３歯群１０ｃの歯は、同一の部品上に形成された共通の表面により、特にプログラミングモバイルの回転軸に平行に延長する共通の表面により、形成される。代替的に、第２及び第３歯群の歯を形成する表面は断続的であってもよい、即ち第２及び第３歯群の間に不連続があってもよい。第２及び第３歯群の表面は、例えば機械加工、切削加工、または成形加工により同時に形成されてもよい。代替的に、第２歯群は第１部品上に、第３歯群は第２部品上に、形成されてもよい。第１及び第２部品はその後、第２車を形成するために、組立てあるいは互いに固定されることができる。
【００４１】
図示しない他の実施形態において、第１歯群は１２の倍数、例えば２４または３６本の歯数を有することができ、及びまたは第２歯群は１２の倍数、例えば２４または３６本の歯数を有することができ、及びまたは第３歯群は４の倍数、例えば８本または１２本の歯数を有することができ、及びまたは第４歯群は３１本の歯を有することができ、及びまたは第５歯群は１本の歯を有することができる。
【００４２】
駆動装置の動作を以下に詳細に説明する。
【００４３】
３１日の月末における、例えば１月の月末における、従来の日付ジャンプを説明する。動作は、小の月の３０日から翌月の１日への移行を除き、月の他の日においても同一である。図７は、１月３０日から３１日への日付ジャンプ直前の、１月３０日の年間カレンダー機構を示す。
【００４４】
一日を通じ、車５はカム６を駆動し、カム６及びレバー７の輪郭経由でばね８を充填することにより、爪２０ａ及び２０ｂの瞬時ジャンプに必要なエネルギーを蓄積する。日付移行の直前に、ランナ７ａがカム６の輪郭の頂点に到達する。図７は、このような構成の機構を図示する。歯２０ａ、２０ｂは、歯１０ａ、１０ｂの範囲外にある。
【００４５】
図８から図１２は、１月３０日から１月３１日への日付ジャンプ中の装置を図示する。最初に、図８から図１０に示すように、駆動モバイル２の歯２０ｂが、車１ｂの歯群１０ｂの１本の歯を作動させ、これはピン１ｅの変位の影響下のばね１ｃの変形による、車１ｂと車１ａ間の相対的変位を引き起こす。これは、ばね１ｃが発生する戻りトルクが日付板のジャンパ９が発生する戻りトルクよりも実質的に小さいという事実により可能となる。日付板の歯３０ｂに対面する歯１０６ｂが歯３０ｂを作動させないように形成されていることから、ここでの車１の回転は日付板になんら影響を及ぼさない。更に具体的には、図９に示すように、歯１０６ｂの厚さは、歯３０ｂを通過可能なように定義される。換言すれば、当該構成において、第５歯群の歯３０ｂと協働可能な、第３歯群の歯は存在しない。
【００４６】
車１ｂは、爪２０ｂが歯群１０ｂを駆動する間、旋回を続ける。図１０は、駆動の最後における爪２０ｂを示す。ばね１ｃは、図１１に示すように、爪２０ａが車１ａの歯群１０ａの歯の１本を作動させるときに、車１ａに対して車１ｂを再割り出しするために、即ち第１及び第２車をその相対的静止位置に、瞬時にまたは実質的に瞬時に、戻すために、蓄積したエネルギーを復元する準備を整えている。
【００４７】
図１１は、駆動モバイル２が車１ａの歯群１０ａの歯の１本を作動させる、その瞬間の駆動モバイル２の歯２０ａを示す。これは、車１ａ及び車１ｂの回転を引き起こし、両車は、手段１ｃ、１ｄ、１ｅの影響下、回転中固定される。車１ａの回転は、図９に示すように歯群１０ａが日付板の歯群３０ａとの係合を継続することを条件に、日付板の角ピッチにわたる板３のジャンプを引き起こす。図１１から図１３は、日付板のこうしたジャンプを図示する。図１３に示すようにジャンプが終了したとき、カム６の不動化の影響により位置決めされた爪２０ａは、日付板の追加ジャンプの危険を避けるため、歯群１０ａの中に位置される。
【００４８】
このため、従来の日付ジャンプは、車１ａの１角ピッチの回転により発生され、これはまた車１ｂの１角ピッチの回転を伴う。このため、毎日真夜中に、モバイル１は少なくとも１角ピッチ回転する。
【００４９】
以下に、３０日の月の月末の、例えば９月の月末の、日付ジャンプについて説明する。図１４は、９月３０日から１０月１日への日付ジャンプ直前の、９月３０日の年間カレンダー機構を示す。この構成において、モバイル１は、車１ｂの歯１０２ｃが日付板の歯３０ｂを作動可能なように位置する。このために、図１５に示すように、単一の配置１０２ｂ、１０２ｃが第４歯群と、第５歯群の歯３０ｂとの相互作用を可能とする。歯３０ｂの作動は、図１６から１８に示すように、日付板の第１角ピッチにわたる日付板３の変位を引き起こす。日付板の変位は、継続して係合される第１歯群１０ａから第４歯群３０ａまでの車１ａの回転をもたらす。このため、日付板の第１ジャンプ時に、モバイル１が第１角ピッチで回転するように、小の月の３０日を「３１日」に変更するために、車１ａ及び１ｂは同期して旋回する。
【００５０】
図１６から１８は、３０日から「３１日」への日付板の第１ジャンプを可能とする、車１ｂの歯群１０ｂの作動の過程における、駆動モバイル２の爪２０ｂを示す。
【００５１】
図１９から２１は、「３１日」から翌月の１日への日付板の第２ジャンプを可能とする、車１ａの歯群１０ａの作動の過程における、駆動モバイル２の爪２０ａを示す。
【００５２】
図２２は、二重日付ジャンプが行われた後の、機構を図示する。上述した通り、カム６が動かないことにより位置を保っている爪２０ａは、日付板の追加ジャンプの危険を避けるため、歯群１０ａの中に位置される。
【００５３】
日付板の角変位は、モバイル１の角変位の作用、特にムーブメントのフレームに対する車１ａ及び１ｂの角変位の作用によるものである。従来の日付ジャンプが車１ａの１角ピッチにわたる回転により発生され、これはまた車１ｂの１角ピッチの回転を伴うのであれば、小の月の月末の二重日付ジャンプは、モバイル１の回転、特にモバイル１の２角ピッチにわたる車１ａ及び１ｂの回転を伴う。
【００５４】
１年にわたり、車１ａ及び１ｂにそれぞれ１２本の歯が設けられるモバイル１は、３１回の回転を行う。出願人による研究により、小の月の３０日のみ作動するよう構成される歯を、日付板３の歯３０ｂを作動させる歯群１０ｃ内に配置することが可能なことがわかった。これは、１２本歯の車１ａ及び１ｂの歯のうちの４本であり、図１５から２３に示すように、それぞれは２月を除く特定の月に専用に対応する。これらの歯１０２ｃ、１０３ｃ、１０４ｃ、１０５ｃは横に並んで配置され、歯群１０ｃの歯付区分を構成する。上述の通り、特定の構造において、配置１０２ｂ、１０２ｃ及び１０３ｂ、１０３ｃ及び１０４ｂ、１０４ｃ及び１０５ｂ、１０５ｃは、第２歯群の歯を形成する配置１０１ｂ及び１０６ｂから１１２ｂよりも厚い。このため、配置１０２ｂ、１０２ｃ及び１０３ｂ、１０３ｃ及び１０４ｂ、１０４ｃ及び１０５ｂ、１０５ｃは歯３０ｂに作用できる。代替的に、第３歯群の歯は、第２歯群の歯の形状とは別の形状を有してもよい。例えば、第３歯群は第２歯群とは異なる頭部直径を有していてもよい。第５歯群もまた、第４歯群と異なる頭部直径を有していてもよい。
【００５５】
図２４の表は、一年にわたる車１ｂの回転の周期を図示し、毎月の３０日に日付板の歯３０ｂに対面するよう存在する、第２及び第３歯群の歯を強調する。欄Ｊ、Ｆ、Ｍ、Ａ、Ｍ、Ｊ、Ｊ、Ａ、Ｓ、Ｏ、Ｎ、Ｄはそれぞれ一年の１２か月（Ｍ）を時系列に示す。それぞれの列において、列は一年の月（Ｍ）の日（Ｑ）を示す。
【００５６】
図において、
歯１０２ｂ及び１０２ｃは、９月の月末に、歯３０ｂに対面するよう存在する。
歯１０３ｂ及び１０３ｃは、４月の月末に、歯３０ｂに対面するよう存在する。
歯１０４ｂ及び１０４ｃは、１１月の月末に、歯３０ｂに対面するよう存在する。
歯１０５ｂ及び１０５ｃは、６月の月末に、歯３０ｂに対面するよう存在する。
歯１０６ｂから１１２ｂはそれぞれ、３１日の月の月末に、歯３０ｂに対面するよう存在する。後者は歯３０ｂに作用できない。
【００５７】
出願人による研究により、当該原理は、Ｎ本の歯が設けられる車１ａ、１ｂを有する全てのモバイル１に有効であることを示しており、ここでＮは１２の倍数である。歯群１ｃは、モバイル１のＮ／１２区分に分布される、歯３０ｂを作動するよう構成されたｎ本の歯が設けられており、ここでＮは４の倍数でありＮ／ｎ＝３である。
【００５８】
明らかに２月は、調整を必要とするものの、３０日からなる小の月と見做すことができる。その場合、車１ｂはｎ’本の歯が設けられ、ここでｎ’＝ｎ＋Ｎ／１２である。
【００５９】
上述の実施形態において、車１ａ及び１ｂは、日車３の内部歯群３０ａ、３０ｂと協働するよう設けられた、外部歯群１０ａ、１０ｂ、１０ｃが設けられる。代替的に、日付板３の歯群３０ａ、３０ｂは、外部歯群の形態を取ることもできる。代替的に、車１ａ及び１ｂは、例えば日車３の外部歯群３０ａ、３０ｂと協働し、特にＮ＝２４またはＮ＝３６である内部歯群１０ａ、１０ｂ、１０ｃが設けられてもよい。これら代替的構成において、モバイル３は例えば日付表示を表示する針を追加された、円板または車の形状を有してもよい。代替的に、プログラミングモバイル１及びまたはモバイル３は、「ラージデイト」を表示する機構を駆動するよう提供されてもよい。
【００６０】
上述の実施形態において、歯群１０ａ、１０ｂ、及び１０ｃの輪郭は同一である。代替的に、歯群が協働する要素２０ａ、３０ａ、及び２０ｂ、３０ｂのそれぞれに関して最適化するよう、輪郭は異なってもよい。
【００６１】
上述の実施形態において、角度割出し要素９は、日付板３の歯３０ａと協働するよう提供される。代替的に、当該角度割出し要素は、車１ａと協働するよう提供されてもよい。このような構成は、内部歯群１０ａが設けられた車１ａに対して有利である。
【００６２】
月の表示を、例えば日車に運動学的にリンクされた月表示板を含む装置により実施してもよい。これにより、年間カレンダーの特に単純な実施形態を実施することが可能となる。月表示装置は、特許文献５及び特許文献６に記載のものであってもよい。
【００６３】
本発明に係る駆動装置は、特許文献７に示す装置のような、特に単純なものである。本発明に係る駆動装置は、部品数が少なく、日付板を駆動する単一の運動学的連鎖のみに依存する。
【００６４】
本発明に係る駆動装置はさらに、非常に小型であるという利点と、特に単純な日付板配置を実施するという利点を有する。
【００６５】
好ましくは、本書類において、「プログラミングモバイル」における、「モバイル」とは、可動または移動可能な「機関」または「部品の一組」または「機構」を意味し、すなわち、一組の部品またはモバイルの部品は、互いにまたは装置の他の部品に対して可動である。好ましくは、本書類において、「プログラミングモバイル」における「モバイル」の文言は単一の車、板、または円板を指すものではない。
【００６６】
好ましくは、日付モバイル３は、単一部品で構成される。
【００６７】
好ましくは、駆動モバイル２は、単一部品で構成される。
【符号の説明】
【００６８】
１    プログラミングモバイル
１ａ    第１車
１ｂ    第２車
２    駆動モバイル
３    日付モバイル
６    カム
７    レバー
８    ばね
９    ジャンパ
１０ａ    第１歯群
１０ｂ    第２歯群
１０ｃ    第３歯群
２０ａ    第１爪
２０ｂ    第２爪
３０ａ    第４歯群
３０ｂ    第５歯群
１１０    時計カレンダー機構
１２０    時計ムーブメント
【図１】
0006788345.tif 000002
【図２】
0006788345.tif 000003
【図３】
0006788345.tif 000004
【図４】
0006788345.tif 000005
【図５】
0006788345.tif 000006
【図６】
0006788345.tif 000007
【図７】
0006788345.tif 000008
【図８】
0006788345.tif 000009
【図９】
0006788345.tif 000010
【図１０】
0006788345.tif 000011
【図１１】
0006788345.tif 000012
【図１２】
0006788345.tif 000013
【図１３】
0006788345.tif 000014
【図１４】
0006788345.tif 000015
【図１５】
0006788345.tif 000016
【図１６】
0006788345.tif 000017
【図１７】
0006788345.tif 000018
【図１８】
0006788345.tif 000019
【図１９】
0006788345.tif 000020
【図２０】
0006788345.tif 000021
【図２１】
0006788345.tif 000022
【図２２】
0006788345.tif 000023
【図２３】
0006788345.tif 000024
【図２４】
0006788345.tif 000025